(57)【要約】【課題】動作信頼性の高い車両のハンドル装置の提供を目的とする。【解決手段】車両のドアに装着される操作ハンドル１への回転操作による出力部２の変位を該出力部２に連結されるケーブル装置３を介してドア内のドアロック装置４に伝達する車両のドアハンドル装置であって、  前記出力部２には、ケーブル装置３のケーブルエンド５を係止、保持する係止溝６からのケーブルエンド５の離脱経路を閉塞するロック位置と、離脱経路を開放するエンド装着位置との間を移動自在で、ロック位置において保持可能なロック部材７が装着される。【選択図】  図４
2010236245.tif 000002
【特許請求の範囲】
【請求項１】
車両のドアに装着される操作ハンドルへの回転操作による出力部の変位を該出力部に連結されるケーブル装置を介してドア内のドアロック装置に伝達する車両のドアハンドル装置であって、
前記出力部には、ケーブル装置のケーブルエンドを係止、保持する係止溝からのケーブルエンドの離脱経路を閉塞するロック位置と、離脱経路を開放するエンド装着位置との間を移動自在で、ロック位置において保持可能なロック部材が装着される車両のドアハンドル装置。
【請求項２】
前記ロック部材は係止部を出力部に形成された被係止部に弾発係止させてロック位置に保持される請求項１記載の車両のドアハンドル装置。
【請求項３】
前記ロック部材は出力部に回転操作自在に軸支される請求項１または２記載の車両のドアハンドル装置。
【請求項４】
前記係止溝はエンド当接壁においてケーブルエンドをプル駆動するとともに、
ロック部材は、ロック位置においてケーブルエンドに干渉してケーブルエンドへのプッシュ駆動が可能な請求項１、２または３記載の車両のハンドル装置。
【発明の詳細な説明】
【技術分野】
【０００１】
本発明は、車両のドアハンドル装置に関するものである。
【背景技術】
【０００２】
アウターケーブル内にインナーケーブルを挿通させたケーブル装置を操作力伝達手段として利用するドアハンドル装置としては、特許文献１に記載のものが知られている。この従来において、ドアハンドル装置は、ハンドルベースにドアハンドルを回転自在に連結して形成される。ドアハンドルには円孔状の係止部と、係止部に連通してドアハンドル側壁に開放される切欠が形成され、ケーブル装置の装着は、まず、インナーケーブルのケーブル端に形成される円柱状のケーブルエンドを係止部に嵌合させた後、係止部との嵌合部周りにケーブル装置を回転させてケーブルエンド近傍のインナーケーブルを切欠に挿通させ、次いで、アウターケーブルをハンドルベースに係止させて行われる。
【先行技術文献】
【特許文献】
【０００３】
【特許文献１】特開平６-２１２８４６号公報
【発明の概要】
【発明が解決しようとする課題】
【０００４】
しかし、上述した従来例において、インナーケーブルには張力のみが負荷されることを前提に、張力方向への荷重負荷によるケーブルエンドの脱落の発生を防止するものであるから、例えば、ケーブル装置に圧縮方向の荷重が加わる等、想定外の荷重が負荷された場合には、ケーブルエンドが係止部から脱落する可能性を否定できず、一旦ケーブルエンドが係止部から脱落して操作ハンドルとインナーケーブルとの連結が解除されると、以後、ハンドルによる操作が不可能になってしまうという問題がある。
【０００５】
本発明は、以上の欠点を解消すべくなされたものであって、動作信頼性の高い車両のハンドル装置の提供を目的とする。
【課題を解決するための手段】
【０００６】
ハンドル装置は車両のドアに回転操作自在に装着される操作ハンドル１を有しており、この操作ハンドル１への操作による出力部２の変位を出力部２に連結されるケーブル装置３を介してドアロック装置４に伝達し、該ドアロック装置４を駆動するように構成される。出力部２は操作ハンドル１とドアロック装置４とが直接ケーブル装置３を介して連結される場合には操作ハンドル１自体、例えば、操作ハンドル１のアーム部に形成され、操作ハンドル１への回転操作力を操作ハンドル１を支持するハンドルベース１１に連結されたレバー１２を介してドアロック装置４に伝達する場合には、レバー１２に形成することができる。
【０００７】
ケーブル装置３はアウターケーブル１３内にインナーケーブル１４を挿入して形成され、出力部２への装着は、出力部２に形成される係止溝６にインナーケーブル１４のケーブルエンド５を係止して行われる。ケーブル装置３を使用した操作力伝達は、インナーケーブル１４への引張力を駆動方向とするプル作動によるものであっても、あるいはインナーケーブル１４への圧縮力を駆動力とするプッシュ動作によるものであってもよい。
【０００８】
出力部２に装着されるロック部材７は、エンド装着位置と、ロック位置との間で移動操作可能であり、エンド装着位置にあるとき、ケーブルエンド５の係止溝６への装着経路が開放され、適宜の保持手段によりロック位置に保持することによって係止溝６への装着経路が閉塞される。
【０００９】
したがってこの発明において、ロック部材７をエンド装着位置にした状態でケーブルエンド５を装着し、この後、ロック部材７をロック位置に移動させて適宜手段によりロック位置に保持すると、ケーブルエンド５の装着経路が物理的に閉塞されるために、ケーブル装置３にどのような力が加わってもインナーケーブル１４の出力部２からの脱離が完全に防がれる。このため、動作の信頼性が飛躍的に高まる上に、ケーブルエンド５の装着方向もインナーケーブル１４への作動時に離脱しない方向に設定する必要がなく、自由に設定可能となるために、ケーブル接続作業も簡単になる。
【００１０】
また、ロック部材７は予め出力部２に装着されてケーブル装着工程に供給されるために、ケーブル装着工程におけるロック部材７の取付工数の発生、あるいはロック部材７の散逸を防止することができる。
【００１１】
ケーブル装置３をプル動作させる場合、係止溝６が形成される壁面がエンド当接壁１０としてケーブルエンド５への操作力伝達部として機能するために、一般にケーブルエンド５に圧縮力を加える方向は開放状態に形成される。このように、ケーブルエンド５に対してプル方向にのみエンド当接壁１０を形成し、通常使用されないプッシュ方向での作動壁面を形成することなくオープンにすることは、出力部２を板金等により形成する場合の製造工数（曲げ工数）の削減等を期待できる上に、ケーブル装着時の経路スペースも大きくなって装着作業性の向上も期待できるために、多用される反面、ハンドル装置に適用した場合には以下の問題が発生する可能性がある。
【００１２】
すなわち、ハンドル装置において操作ハンドル１を作動させてケーブル装置３をプル動作させてドアロック装置４を作動させた後、操作力を解放すると、操作ハンドル１はハンドル装置に組み込まれた復帰バネにより初期位置に復帰し、同時にドアロック装置４も該ドアロック装置４に組み込まれた復帰バネにより初期状態に復帰する。このとき、ドアロック装置４の初期状態への復帰が何等かの理由により阻害されると、操作ハンドル１のみが初期位置に復帰する。この状態で上述したように、操作ハンドル１がプッシュ方向の操作力伝達壁を有していないと、操作ハンドル１に回転操作を与えても、出力部２はケーブルエンド５に対して空振り状態となり、以後、操作ハンドル１によるインナーケーブル１４への操作力伝達、すなわち、ドアロック装置４への操作が不能になる。
【００１３】
これに対し、ロック部材７を、ロック位置においてケーブルエンド５に干渉してケーブルエンド５へのプッシュ駆動が可能に形成すると、ドアロック装置４、あるいはインナーケーブル１４のアウターケーブル１３に対するスティック現象等が発生しても、操作ハンドル１の復帰に伴ってケーブル装置３に操作力が加えられ、確実に初期状態に復帰させることが可能になる。
【発明の効果】
【００１４】
本発明によれば、動作中にケーブル装置が妄りに出力部から離脱することがないために、動作信頼性を高めることができる。
【図面の簡単な説明】
【００１５】
【図１】本発明のハンドル装置の裏面図である。
【図２】ハンドル装置の裏面方向から見た斜視図である。
【図３】操作ハンドルを操作した状態でのハンドル装置の裏面図である。
【図４】ロック部材を示す図で、（ａ）はレバーへの装着状態を示す正面図、（ｂ）は（ａ）の４Ｂ方向矢視図、（ｃ）はエンド装着位置を示す裏面図、（ｄ）はエンド装着位置における正面図、（ｅ）はロック位置を示す正面図である。
【発明を実施するための形態】
【００１６】
図１以下に示すように、車両のドアハンドル装置は、車両のドアに固定されるハンドルベース１１と、ハンドルベース１１に支軸１ａ周りに回転操作可能に連結される操作ハンドル１とを有して構成される。図１はドア内方からハンドル装置を見た裏面図で、ハンドル装置は操作ハンドル１の長手方向を車高方向に向けた姿勢で車両のドアに取り付けられる。
【００１７】
操作ハンドル１は、図１（ａ）に示す初期回転姿勢から左辺部を正面側に引き出すように回転させて操作され、この回転操作により、裏面に突設されたアーム部１ｂが裏面視において左側に移動する（図３参照）。
【００１８】
一方、上記ハンドルベース１１の裏面には金属板材により形成されたレバー１２が支軸１２ａ周りに回転自在に連結される。図４に示すように、レバー１２の一端部には、対向辺を表面側に折り曲げて断面コ字形状のアーム係止部１２ｂが形成される。なお、本明細書において「表裏」方向は、車両への取付姿勢を基準とする。上記アーム係止部１２ｂには、操作ハンドル１のアーム部１ｂが係止しており、操作ハンドル１を初期回転位置から回転操作すると、レバー１２は図１（ａ）において時計回りに回転する（図３参照）。レバー１２には、トーションスプリング１５により初期位置側への付勢力が付与されており、この付勢力により操作ハンドル１も初期回転位置側に付勢される。
【００１９】
また、レバー１２のアーム係止部１２ｂに対する反対端には出力部２としてのケーブル連結部が形成され、このケーブル連結部２にケーブル装置３のインナーケーブル１４が連結される。図４に示すように、ケーブル連結部２は、表面側への折曲片２ａと、折曲片２ａの一端をＬ字状に折り曲げて形成されるエンド当接壁１０、および折曲先端片２ｂとを有し、裏面視においてコ字形状をなす。折曲先端片２ｂ、およびエンド当接壁１０には折曲先端片２ｂの辺縁に開放されるスリット状の係止溝６が形成される。
【００２０】
上記ケーブル装置３は、図１（ｂ）に示すように、アウターケーブル１３内にインナーケーブル１４を摺動自在に挿入して形成される。アウターケーブル１３の先端には装着溝１６ａを備えた端末金具１６が固定されており、ハンドルベース１１には、端末金具１６の装着溝１６ａを受容してアウターケーブル１３を装着するためのケーブル装着部１１ａが形成される。
【００２１】
また、インナーケーブル１４は先端に球状のケーブルエンド５を有しており、インナーケーブル１４は、ケーブルエンド５基端部を係止溝６の開放端から係止溝６内に通過させることによりケーブル連結部２に装着される。折曲先端片２ｂが係止溝６がドアパネルに対してほぼ平行方向に開設されるこの実施の形態において、インナーケーブル１４の装着は、図４（ｂ）に示すように、ケーブル装置３をドアパネルに平行姿勢にした状態でドア厚み方向に移動させるだけで簡単に装着することができる。
【００２２】
インナーケーブル１４の装着状態において、操作ハンドル１を操作してレバー１２が図１（ａ）において時計回りに回転すると、エンド当接壁１０の回転経路に干渉するように位置するインナーケーブル１４のケーブルエンド５はエンド当接壁１０から操作力を伝達され（プル動作）、図３に示すように、アウターケーブル１３に対して相対的に引き出される。
【００２３】
インナーケーブル１４の他端はドア内に配置されるドアロック装置４に連結されており、インナーケーブル１４のアウターケーブル１３に対する相対移動によりドアロック装置４が作動する。
【００２４】
さらに、上記ケーブル連結部２には合成樹脂材を射出成形して形成されるロック部材７が装着される。図４に示すように、ロック部材７は、平板部７ａの一端縁にストッパ壁７ｂを有しており、平板部７ａに形成される連結軸７ｃにおいてケーブル連結部２に連結される。連結軸７ｃは、径方向に弾性変形可能で、縮径状態で折曲片２ａに開設されたロック装着孔２ｃに挿通させ、挿通後の弾性復元力による拡径により抜け止めされる。
【００２５】
ケーブル連結部２に装着された状態でロック部材７は、図４（ｅ）に示すロック位置と、図４（ｃ）、（ｄ）に示すエンド装着位置との間で回転自在であり、折曲片２ａとの摺接面に突設される弾性係止部８を折曲片２ａに形成され矩形孔状の被係止部９に弾発係止させることによりロック位置に保持される。また、ロック部材７には、エンド装着位置側のストローク終端を規制するために、ストッパ突起７ｄが突設される。
【００２６】
以上のように構成されるロック部材７は、ストッパ壁７ｂの終端縁に形成される操作片７ｅにより回転操作可能であり、ケーブル装置３の装着は、ロック部材７をエンド装着位置側に位置させた状態でインナーケーブル１４を装着し、次いで、操作片を操作してロック部材７をロック位置に回転操作することにより行うことができる。
【００２７】
ロック部材７がロック位置に保持された状態で、インナーケーブル１４の係止溝６からの離脱経路はロック部材７により閉塞されるために、使用中の不用意なケーブル離脱が完全に規制される。さらに、ドアロック装置４側の不具合等によりインナーケーブル１４の戻り不良が発生した場合には、図４（ｅ）に示すように、操作ハンドル１の初期回転位置への復帰、およびレバー１２の初期位置への復帰によりストッパ壁７ｂがインナーケーブル１４のケーブルエンド５に押し込み方向の力を付与してプッシュ動作させることによって戻り不良を解消させることができる。
【符号の説明】
【００２８】
１        操作ハンドル
２        出力部
３        ケーブル装置
４        ドアロック装置
５        ケーブルエンド
６        係止溝
７        ロック部材
８        係止部
９        被係止部
１０      エンド当接壁
【図１】
2010236245.tif 000003
【図２】
2010236245.tif 000004
【図３】
2010236245.tif 000005
【図４】
2010236245.tif 000006